(57)【要約】【課題】用紙の品質を維持しつつ、省電力モード等の画像形成装置の消費電力を落とした状態で、用紙の除湿を行うヒーターでの無駄な電力消費を防ぎ省電力を図る。【解決手段】画像形成装置は湿度検知部と、第１ヒーターと第２ヒーターを含む給紙部と、給紙部内の湿度を認識する認識部と、第１ヒーターへの通電を制御する第１スイッチ部と、第２ヒーターへの通電を制御する第２スイッチ部と、通常モードと省電力モードを有する電源部と、省電力モードのとき、第１スイッチ部は第１ヒーターへの電力供給を停止し、電源部は予め定められた周期で湿度検知部と認識部に対して電力を供給した後、電力供給を停止し、第２スイッチ部は湿度が閾値を超えていれば第２ヒーターに電力を供給し、閾値以下であれば第２ヒーターへの電力供給を停止した状態となる。【選択図】図８
2014071227.tif 000002
【特許請求の範囲】
【請求項１】
主電源の投入と遮断を操作するためのメインスイッチと、
用紙を収容、供給し、用紙を収容する空間内の湿度を検知するための湿度検知部と、用紙の除湿を行うための第１ヒーターと、前記第１ヒーターとは別に用紙の除湿を行うための第２ヒーターと、を含む給紙部と、
前記湿度検知部の出力に基づき、前記給紙部内の湿度を認識する認識部と、
前記第１ヒーターへの通電を制御する第１スイッチ部と、
前記第２ヒーターへの通電を制御する第２スイッチ部と、
前記第１ヒーター及び前記第２ヒーターに電力を供給し、画像形成装置の主電源が投入されている状態で、画像形成装置内の予め定められた供給停止部分に対して電力を供給する通常モードと、予め定められた省電力モード移行条件が満たされると前記供給停止部分に対して電力を供給しない省電力モードを有し、前記省電力モードで前記通常モードへの復帰条件が満たされると前記通常モードに復帰して前記供給停止部分に対する電力供給を再開する電源部と、を含み、
前記通常モードのとき、前記第１スイッチ部は前記認識部が認識した湿度が高いほど、前記第１ヒーターの出力が大きくなるように前記第１ヒーターに電力を供給し、前記第２スイッチ部は前記第２ヒーターへの電力の供給を停止し、
前記省電力モードのとき、前記第１スイッチ部は前記第１ヒーターへの電力供給を停止し、前記電源部は予め定められた周期で前記認識部が湿度を認識するのに必要な間、前記湿度検知部と前記認識部に対して電力を供給した後、前記湿度検知部と前記認識部に対する電力供給を停止し、前記第２スイッチ部は前記認識部が認識した湿度が予め定められた閾値を超えていれば前記第２ヒーターに電力を供給する状態となり、前記閾値以下であれば前記第２ヒーターへの電力供給を停止した状態となることを特徴とする画像形成装置。
【請求項２】
前記メインスイッチに対する操作により画像形成装置の主電源が遮断されている状態のとき、
前記第１スイッチ部は前記第１ヒーターへの電力供給を停止し、
前記電源部は予め定められた周期で、前記認識部が湿度を認識するのに必要な間、前記湿度検知部と前記認識部に対して電力を供給した後、前記湿度検知部と前記認識部に対する電力供給を停止し、
前記第２スイッチ部は前記認識部が認識した湿度が予め定められた閾値を超えていれば前記第２ヒーターに電力を供給する状態となり、前記認識部が認識した湿度が前記閾値以下であれば前記第２ヒーターへの電力供給を停止した状態となることを特徴とする請求項１記載の画像形成装置。
【請求項３】
前記電源部は商用電源に接続され、商用電源に基づき一定の大きさの電圧を生成し、前記第１ヒーターに電力を供給するスイッチング電源部と、商用電源から入力される電力の半波整流を行い、前記第２ヒーターに電力を供給する半波整流部と、を含み、
前記第１スイッチ部は前記認識部が認識した湿度が高いほど、単位時間内の前記第１ヒーターへの電力供給時間を長くすることを特徴とする請求項１又は２に記載の画像形成装置。
【請求項４】
前記第２ヒーターは上下方向からみて前記第１ヒーターを囲うように設けられ、
前記第１ヒーターは前記第２ヒーターよりも用紙の中心に近い位置に設けられることを特徴とする請求項１乃至３のいずれか１項に記載の画像形成装置。
【請求項５】
前記第２スイッチ部は前記第２ヒーターの最大出力が前記第１ヒーターの最大出力よりも小さくなるように前記第２ヒーターに電力を供給することを特徴とする請求項１乃至４のいずれか１項に記載の画像形成装置。
【発明の詳細な説明】
【技術分野】
【０００１】
本発明は用紙の乾燥、除湿を行うためのヒーターを有する画像形成装置に関する。
【背景技術】
【０００２】
用紙のカールや皺の防止や、水分による用紙同士の吸着による重送を防ぐ等の観点から画像形成装置の用紙収容部分にヒーターを設置することがある。ヒーターは通電により発熱し、一定の電力を消費する。近年の省エネに関する意識の高まりもあり、給紙装置内のヒーターでの消費電力はできるだけ抑えることが好ましい。そこで、給紙装置内の状態に応じて消費電力を抑える技術が特許文献１に記載されている。
【０００３】
具体的に、特許文献１には給紙カセットを有し、給紙カセット内に補給された印刷媒体の量を判定する判定部と、給紙カセット内を除湿するためのヒーターを制御するヒーター制御部を備え、ヒーター制御部は判定部で少量であると判定された場合には給紙カセットに印刷媒体が補給されてから、所定時間遅らせてヒーターをオンにし、判定部で多量であると判定された場合には給紙カセットに印刷媒体が補給されてから所定時間より長い所定時間遅らせてヒーターをオンにする印刷装置が記載されている。印刷媒体は湿気の影響を受けにくくするための梱包材で包装され、梱包材から取り出されて給紙カセットに補給された直後においては湿気を除去する必要がないことに基づき、この構成により、印刷媒体が補給される前の給紙カセットの状態と、補給された印刷媒体の量に応じて、カセットヒーターをオンにするタイミングを変更し、印刷媒体の湿気の吸いやすさに応じて、効率良くカセットヒーターによる消費電力を抑えようとする（特許文献１：請求項１、段落［００２５］、［００６１］等参照）。
【先行技術文献】
【特許文献】
【０００４】
【特許文献１】特開２０１１−１０２１７３号公報
【発明の概要】
【発明が解決しようとする課題】
【０００５】
画像形成装置は画像形成装置を構成する部分（例えば、印刷を行う部分）に対して電力供給を減らし、消費電力を小さくする省電力モードを有する。省電力モードは通常モードよりも、消費電力が抑えられる。尚、例えば、通常モードは画像形成装置の各部分にもれなく電力を供給し、ジョブ実行可能な状態に画像形成装置を保つモードである。
【０００６】
そして、従来、省電力モードや主電源が落とされた状態では、ヒーターへの通電の必要性を判断し、通電のＯＮ／ＯＦＦを行う制御回路等への通電が停止される。そして、用紙の品質低下を避けるため、省電力モードや主電源が落とされた状態では、用紙の除湿用のヒーターを通電したまま（ＯＮしたまま）とする場合がある。しかし、用紙の除湿が十分である状態で有るのにもかかわらず、省電力モードや主電源が落とされた状態で、ヒーターへの通電が続けられることもある。そのため、省電力モードや主電源が落とされた状態で無駄な電力が消費されることがあるという問題がある。
【０００７】
一方、省電力モードや主電源が落とされた状態で、用紙の除湿用のヒーターへの通電を停止したままで保つことも考えられる。しかし、ヒーターへの電力供給停止から、省電力モードが解除されたり、再び主電源が入れられたりするなどして、制御回路によるヒーターへの通電制御（ＯＮ／ＯＦＦ制御）が再開されるまで、長時間経過することがある。例えば、終業から翌朝の業務開始まで（例えば、十数時間）、あるいは連休開け（例えば、数日）経過してしまうことがある。そうすると、用紙の除湿用のヒーターへの通電を停止したままで保つと、用紙が吸湿し、用紙の品質を維持できない場合があるという問題がある。
【０００８】
ここで、特許文献１記載の発明は補給された用紙の量に応じて１又は数時間後にヒーターに通電を行うもので有り（特許文献１：段落［００２５］〜［００２９］等参照）、省電力モードや画像形成装置の主電源が落とされた状態でのヒーターへの通電制御を扱うものではない。又、特許文献１記載の発明では用紙補給から数時間の間、ヒーターへの通電や遮断の制御、判断を行う制御回路やスイッチ部分への通電を継続する必要があり、消費電力の削減効果が弱い場合がある。
【０００９】
本発明は上記従来技術の問題点に鑑みてなされたものであり、用紙の品質を維持しつつ、省電力モード等の画像形成装置の消費電力を落とした状態で、用紙の除湿を行うヒーターでの無駄な電力消費を防ぎ、省電力を図る。
【課題を解決するための手段】
【００１０】
そこで、画像形成装置は主電源の投入と遮断を操作するためのメインスイッチと、用紙を収容、供給し、用紙を収容する空間内の湿度を検知するための湿度検知部と、用紙の除湿を行うための第１ヒーターと、前記第１ヒーターとは別に用紙の除湿を行うための第２ヒーターと、を含む給紙部と、前記湿度検知部の出力に基づき、前記給紙部内の湿度を認識する認識部と、前記第１ヒーターへの通電を制御する第１スイッチ部と、前記第２ヒーターへの通電を制御する第２スイッチ部と、前記第１ヒーター及び前記第２ヒーターに電力を供給し、画像形成装置の主電源が投入されている状態で、画像形成装置内の予め定められた供給停止部分に対して電力を供給する通常モードと、予め定められた省電力モード移行条件が満たされると前記供給停止部分に対して電力を供給しない省電力モードを有し、前記省電力モードで前記通常モードへの復帰条件が満たされると前記通常モードに復帰して前記供給停止部分に対する電力供給を再開する電源部と、を含み、前記通常モードのとき、前記第１スイッチ部は前記認識部が認識した湿度が高いほど、前記第１ヒーターの出力が大きくなるように前記第１ヒーターに電力を供給し、前記第２スイッチ部は前記第２ヒーターへの電力の供給を停止し、前記省電力モードのとき、前記第１スイッチ部は前記第１ヒーターへの電力供給を停止し、前記電源部は予め定められた周期で前記認識部が湿度を認識するのに必要な間、前記湿度検知部と前記認識部に対して電力を供給した後、前記湿度検知部と前記認識部に対する電力供給を停止し、前記第２スイッチ部は前記認識部が認識した湿度が予め定められた閾値を超えていれば前記第２ヒーターに電力を供給する状態となり、前記閾値以下であれば前記第２ヒーターへの電力供給を停止した状態となることとした。
【発明の効果】
【００１１】
本発明によれば、画像形成装置の消費電力を落としている状態のとき、湿度の状態に応じて、第２ヒーターへの電力の供給と停止が切り替えられるので、用紙の品質が維持される。又、画像形成装置の消費電力を落とした状態で、用紙の除湿を行うヒーターがつけっぱなし（通電しっぱなし）にならず、無駄な電力消費を防ぎ省電力を図ることができる。
【図面の簡単な説明】
【００１２】
【図１】複合機の模型的正面断面図である。
【図２】複合機のハードウェア構成の一例を示すブロック図である。
【図３】複合機の電力供給系統の一例を示すブロック図である。
【図４】複合機への操作を検知する部分の一例を示すブロック図である。
【図５】用紙の除湿用のヒーターの配置の一例を示す説明図である。
【図６】各ヒーターへの電力供給系統の一例を示すブロック図である。
【図７】通常モードでの各種信号の波形の一例を示すタイミングチャートである。
【図８】省電力モード及び主電源遮断状態での各種信号の波形の一例を示すタイミングチャートである。
【図９】省電力モード及び主電源遮断状態での用紙の除湿制御の流れの一例を示すフローチャートである。
【発明を実施するための形態】
【００１３】
以下、本発明の実施形態を図１〜図９を用いて説明する。但し、各実施の形態に記載されている構成、配置等の各要素は発明の範囲を限定するものではなく単なる説明例にすぎない。
【００１４】
（複合機１００の概略構成）
まず、図１を用いて、実施形態に係る画像形成装置の概要を説明する。本説明では画像形成装置として電子写真方式の複合機１００を例に挙げて説明を行う。図１は複合機１００の模型的正面断面図である。
【００１５】
本実施形態の複合機１００には上部に原稿搬送部５１と画像読取部２が設けられる。又、複合機１００の正面上方（図１に破線で示す位置）に、コピーや送信等の各種設定を受け付け、複合機１００の状態を表示する操作パネル３が設けられる。又、複合機１００本体に、給紙部４、搬送部５、画像形成部６、定着部７等が設けられる。
【００１６】
画像読取部２は原稿を読み取り画像データを生成する。そして、画像読取部２の上面にコンタクトガラス（送り読取用コンタクトガラス２１と載置読取用コンタクトガラス２２の２種）が設けられ、その内部には水平方向（図１で言えば、左右方向）で移動する移動枠（露光ランプ、ミラー等を具備）、レンズ、イメージセンサ（例えば、ＣＣＤ）等の光学系部材（いずれも不図示）が設けられる。例えば、原稿搬送部５１で連続的に搬送される原稿を読み取る場合、送り読取用コンタクトガラス２１の下方に移動枠を固定し、原稿の反射光をレンズ、イメージセンサに導く。又、載置読取用コンタクトガラス２２に載置された原稿を読み取る場合には移動枠を水平方向に移動させて、原稿の反射光をレンズ、イメージセンサに導く。
【００１７】
そして、画像読取部２はこれら光学系部材を用い、原稿に光を照射し、原稿の反射光を受けたイメージセンサの各画素の出力値をＡ／Ｄ変換し、画像データを生成する。例えば、複合機１００は読取られた画像データに基づき印刷可能である（コピー機能）。
【００１８】
画像形成用の用紙を収容し、供給する給紙部４が複合機１００の下方に設けられる。尚、増設用のオプション装置としての給紙部４を更に下方に積み重ね（例えば、３〜４段程度）、用紙収容能力を高めることができる。そして、用紙補給や用紙サイズ変更のため、給紙部４のうち用紙を収容する部分はカセット４１として取り外すことができる。
【００１９】
給紙部４のカセット４１内に、各種（例えば、普通紙、コピー用紙、再生紙等）、各サイズ（例えば、Ａ４、Ａ３、Ｂ４、Ｂ５、レターサイズ等）の用紙を複数（例えば、５００〜１０００枚程度）積載して収容する。カセット４１内には用紙束が載置される用紙載置板４２が設けられる。そして、給紙部４には最上位の用紙と接し、用紙を送り出して給紙する給紙ローラー４３が設けられる。
【００２０】
又、給紙部４内の用紙上面（用紙載置板４２の上方）に、用紙の除湿、感想を行うためのヒーターが設けられる。尚、ヒーターは用紙の下側に設けられてもよい。
【００２１】
又、詳細は後述するが、ヒーターのＯＮ／ＯＦＦを行ううえで（ヒーターへの電力の供給と停止を制御するうえで）、湿度を確認するための温湿度センサー４４が給紙部４内に設けられる。例えば、温湿度センサー４４は用紙載置板４２の下方に設けられる。この温湿度センサー４４を用いることで給紙部４内の湿度を計測、検知することができる。
【００２２】
次に、搬送部５は装置内で用紙を搬送する通路である。そして、搬送部５には用紙搬送時に回転駆動する搬送ローラー対５１や、搬送される用紙を画像形成部６の手前で待機させ、トナー像形成のタイミングを合わせ送り出すレジストローラー対５２等が設けられる。又、排出口から排出される用紙を受け止める排出トレイ５３も設けられる。
【００２３】
画像形成部６は画像データに基づき、給紙部４から給紙された用紙に画像（トナー像）を形成し、搬送される用紙にトナー像を転写する。尚、画像データには画像読取部２で取得された原稿の画像データや、複合機１００に接続されるコンピューター２００（図２参照）からの送信画像データが利用される。そして、画像形成部６は回転駆動可能に支持された感光体ドラム６１や、その周囲に配設された帯電装置６２、露光装置６３、現像装置６４、転写ローラー６５、クリーニング装置６６等を備える。
【００２４】
トナー像形成及び転写プロセスを説明する。感光体ドラム６１は所定方向に回転駆動する。そして、感光体ドラム６１の上方の帯電装置６２が所定電位に帯電させる。露光装置６３は画像データに基づき、レーザ光を出力し、帯電後の感光体ドラム６１表面を走査露光して画像データに応じた静電潜像を形成する。
【００２５】
そして、現像装置６４は感光体ドラム６１に形成された静電潜像にトナーを供給して現像する。感光体ドラム６１の下方の転写ローラー６５は感光体ドラム６１に圧接し、ニップを形成する。そして、レジストローラー対５２がタイミングを図り用紙をニップに進入させる。用紙とトナー像のニップ進入時、転写ローラー６５には所定電圧が印加され、感光体ドラム６１上のトナー像が用紙に転写される。クリーニング装置６６は転写後に感光体ドラム６１に残留するトナーや汚れ等を除去する。
【００２６】
定着部７は用紙に転写されたトナー像を定着させる。本実施形態における定着部７は主として発熱体を内蔵する加熱ローラー７１と加圧ローラー７２で構成される。加熱ローラー７１と加圧ローラー７２は圧接しニップを形成する。そして、用紙がこのニップを通過すると、トナーが溶融・加熱され、トナー像が用紙に定着する。トナー定着後の用紙は排出トレイ５３に排出される。
【００２７】
（複合機１００のハードウェア構成）
次に、図２に基づき、実施形態に係る複合機１００のハードウェア構成の一例を説明する。図２は複合機１００のハードウェア構成の一例を示すブロック図である。
【００２８】
まず、複合機１００本体内に、複合機１００の動作の制御を司る部分として、主制御部８ａが設けられる。主制御部８ａは基板であり、例えば、制御を行う部分としてＣＰＵ８１を有する。主制御部８ａは複合機１００の制御全体を統括する。例えば、全体制御を行うブロックや、通信制御を行うブロックや、画像処理を行うブロックが、主制御部８ａに設けられる。
【００２９】
主制御部８ａは記憶部８２を有する。記憶部８２は複合機１００の制御用のプログラムやデータの他、画像データ等を記憶できる。例えば、記憶部８２はＲＡＭ、ＲＯＭ、ＨＤＤ、フラッシュＲＯＭ等の揮発性と不揮発性の記憶装置を組み合わせてなる。ＣＰＵ８１は記憶部８２に記憶されるプログラムやデータに基づき、演算処理の実行や制御信号の発信、受信を行って、複合機１００の制御を行う。
【００３０】
又、画像形成や用紙搬送を行う上で、各種回転体を回転させるモーター等のＯＮ／ＯＦＦや給紙、用紙搬送やトナー像形成等の印刷に関する動作、処理を制御するエンジン制御部８ｂ（認識部に相当）が設けられる。エンジン制御部８ｂは主制御部８ａ等と通信可能に接続され、主制御部８ａの指示に基づき、印刷に関する印刷エンジン部１０１（給紙部４、搬送部５、画像形成部６、定着部７等）を実際に制御する。例えば、エンジン制御部８ｂは演算処理装置としてエンジンＣＰＵ８３を有する。又、エンジン制御部８ｂは制御対象を制御するためのプログラム、データを記憶するエンジン記憶部８４（例えば、フラッシュＲＯＭやＲＡＭ、記憶部に相当）を有する。又、エンジン制御部８ｂにはその他、チップ、マイコン、各種回路、素子等を実装してもよい。
【００３１】
又、主制御部８ａは原稿搬送部５１、画像読取部２などと通信可能に接続され原稿の読み取りと画像データの生成を原稿搬送部５１や画像読取部２に行わせる。又、主制御部８ａは操作パネル３と通信可能に接続される。これにより、操作パネル３でなされた設定、入力の内容は主制御部８ａに伝達される。主制御部８ａは設定内容に合わせて各部が動作するように、複合機１００に含まれる各部に指示を与え、動作させる。
【００３２】
更に、主制御部８ａは通信部８５と接続される。通信部８５はネットワークやケーブルや通信網により、コンピューター２００（例えば、パーソナルコンピューターやサーバー）や相手方ＦＡＸ装置３００と通信する。これにより、複合機１００はコンピューター２００から画像データ等を受け取って印刷することや（プリンタ機能）、画像読取部２で読み取られた画像データを記憶部８２に蓄積し、コンピューター２００に送信することや（スキャナ機能）、外部のＦＡＸ装置３００と画像データの送受信を行うことができる（ＦＡＸ機能）。
【００３３】
又、複合機１００内には電源部９が設けられる。電源部９は複合機１００を動作させるのに必要な（複合機１００内の各部に供給するうえで必要な）各種電圧を生成し、各部分に供給する（詳細は後述）。
【００３４】
（電力供給系統）
次に、図３に基づき、実施形態に係る複合機１００の電力供給系統の一例を説明する。図３は複合機１００の電力供給系統の一例を示すブロック図である。
【００３５】
まず、複合機１００には各種電圧を生成し、複合機１００の各部分に電力を供給する部分として電源部９が設けられる。複合機１００はコンセントや電源コードにより、商用電源と接続される。例えば、電源部９は複合機１００の主電源の投入と遮断を操作するためのメインスイッチ１０２を介して商用電源と接続される。例えば、複合機１００の側面などに、メインスイッチ１０２が設けられる。
【００３６】
例えば、電源部９はスイッチング電源部９１を含む。スイッチング電源部９１はスイッチングにより直流電圧を生成するスイッチング電源回路である。スイッチング電源部９１はコイルやコンデンサーや半導体スイッチや逆流防止用のダイオードを含み、商用電源から電力の供給を受けて一定の大きさの直流電圧（例えば、モーター駆動用のＤＣ２４Ｖ）を生成する。
【００３７】
又、電源部９にはスイッチング電源部９１が生成した電圧を降圧して、ＣＰＵやメモリーやＡＳＩＣ等に電子回路駆動用の直流電圧を生成する２次電源部９２が設けられる。２次電源部９２はＤＣ５Ｖ、３．３Ｖ、２．５Ｖ、１．８Ｖ、１．２Ｖ等、例えば、主制御部８ａやエンジン制御部８ｂに設けられる素子を駆動するための電圧を生成する。
【００３８】
そして、電源部９から、原稿搬送部５１、操作パネル３、画像読取部２、主制御部８ａ、エンジン制御部８ｂ、印刷エンジン部１０１、通信部８５等に電力が供給される。
【００３９】
又、電源部９から原稿搬送部５１、操作パネル３、画像読取部２、主制御部８ａ、エンジン制御部８ｂ、印刷エンジン部１０１、通信部８５等への電力の供給と停止をそれぞれ制御する電力供給切替部９３が設けられる。例えば、電力供給切替部９３は複数の半導体スイッチを含み、スイッチング電源部９１が生成した電圧と、２次電源部９２が生成した電圧の各部への供給と停止を行う。
【００４０】
電源部９に設けられる電力制御部９０が電力供給切替部９３による各部への電力供給のＯＮ／ＯＦＦ（供給ｏｒ停止）を制御する。又、メインスイッチ１０２が操作されたことにより、複合機１００の主電源が投入する操作がなされたこと、又は、遮断する操作がなされたことを電力制御部９０は認識する。
【００４１】
（通常モードと省電力モード）
次に、図３、図４を用いて、実施形態に係る複合機１００での通常モードと省電力モードの一例を説明する。図４は複合機１００への操作を検知する部分の一例を示すブロック図である。
【００４２】
まず、複合機１００のメインスイッチ１０２ＭＳにより主電源が投入されると、電源部９の電力制御部９０はスイッチング電源部９１や２次電源部９２を動作させる。そして、電力制御部９０は電力供給切替部９３を制御して、生成された電圧（電力）を、複合機１００の各部（原稿搬送部５１、操作パネル３、画像読取部２、主制御部８ａ、エンジン制御部８ｂ、印刷エンジン部１０１、通信部８５等）に供給させる。
【００４３】
そして、複合機１００の各部で起動処理（ウォームアップ処理）がなされる。例えば、主電源投入により、そして、記憶部８２からのメインプログラムの読み出し、主制御部８ａやエンジン制御部８ｂの起動や、定着部７を温めるウォームアップなどが行われる。そして、複合機１００は通常モードで起動する。
【００４４】
《通常モードから省電力モードへの移行》
次に、図４を用いて、通常モードから省電力モードへの移行を説明する。通常モードでは、電源部９は複合機１００の全ての部分に電力を供給し、原則として、直ちに全ての機能、ジョブを実行可能である。しかし、複合機１００を使用していない状態（待機状態）でも、主制御部８ａやエンジン制御部８ｂや印刷エンジン部１０１（例えば、定着部７の温度維持制御）等で一定の電力が消費される。そこで、本実施形態の複合機１００は消費電力を通常モードよりも減らす省電力モードを有する。
【００４５】
通常モードから省電力モードへの移行条件が整うと（満たされると）、電源部９（複合機１００）は電力供給モードが通常モードから省電力モードに移行する。移行条件は任意に定めることができる。例えば、操作パネル３に設けられ、省電力モードへの移行を指示するための節電キーが押されたことが、省電力モードへの移行条件とされてもよい。
【００４６】
又、例えば、複合機１００の起動後、又は、ジョブ完了後、複合機１００に対する操作、入力（操作パネル３への入力や、通信部８５への印刷用データの入力等）がないまま（操作がなく待機状態のまま）、予め定められた省電力モード移行時間（例えば、数分）が経過したことが、省電力モードへの移行条件とされる。例えば、主制御部８ａに設けられる計時部８６が、予め定められた省電力モードへの移行時間を計時する。
【００４７】
複合機１００に対する操作、入力を検知する操作検知部が複合機１００内に複数設けられる。例えば、図４に示すように、複合機１００内には操作検知部として、通信部８５、タッチパネル部３１、挿脱検知センサー４５、カバー開閉検知センサー５４、原稿載置検知センサー１１、開閉検知センサー１２等が設けられる。
【００４８】
通信部８５はコンピューター２００等からの印刷用データの入力を検知し、印刷用データを受信したとき、主制御部８ａに通知する。タッチパネル部３１は使用者による操作パネル３への操作を検知し、操作があったとき、主制御部８ａに通知する。
【００４９】
挿脱検知センサー４５はカセット４１の挿脱を検知し、カセット４１が取り付けられているときと取り外されているときで出力が変化する（例えば、カセット４１と接するインターロックスイッチ、図１参照）。
【００５０】
カバー開閉検知センサー５４はジャム処理やメンテナンス等のために設けられた複合機１００のカバー（例えば、左側面カバー１００ｃ）の開閉を検知し、カバーが開いているときと閉じているときで出力が変化する（例えば、光センサーやカバーと接するインターロックスイッチ、図１参照）。
【００５１】
原稿載置検知センサー１１は原稿搬送部５１の載置トレイ１３上の原稿の有無を検知するためのセンサーであり、原稿が載置されているときと載置されていないときで出力が変化する（例えば、反射型光センサー、図１参照）。
【００５２】
開閉検知センサー１２はコピー等のため、原稿搬送部５１が持ち上げられたか否かを検知するためのセンサーであり、原稿が載置されているときと載置されていないときで出力が変化する（例えば、反射型光センサー、図１参照）。
【００５３】
これらの操作検知部の出力は主制御部８ａに入力される。これにより、主制御部８ａは複合機１００への操作の有無を認識し、主制御部８ａは省電力モード移行条件が満たされたか否かを認識する。主制御部８ａは省電力モード移行条件が満たされたと認識すると、電源部９に省電力モードとなるように指示を与える。
【００５４】
この指示を受け、電源部９は電力供給切替部９３を制御して、予め定められた供給停止部分（例えば、原稿搬送部５１、操作パネル３、画像読取部２、エンジン制御部８ｂ、印刷エンジン部１０１の一部）に対して電力供給を停止する。尚、省電力モードで動作させる部分（電力を供給する部分）は任意に定めることができる。
【００５５】
尚、本実施形態の複合機１００では、省電力モードから通常モードへの復帰条件が満たされたこと（省電力モードの解除条件が満たされたこと）を検知する操作検知部や、操作検知部の出力を受け、復帰条件が満たされたことを認識する主制御部８ａに、省電力モードでも電力供給がなされる（図４参照）。尚、主制御部８ａでは、必要なブロックのみに対して電力が供給され、不必要なブロックには電力供給が停止される。
【００５６】
《省電力モードの解除・省電力モード→通常モード》
次に、図４を用いて、省電力モードの解除（通常モードへのに復帰）を説明する。まず、省電力モードでは電力供給が行われる部分は限られる。そのため、複合機１００の各種機能（コピー、スキャン、プリント、ＦＡＸ等）を用いることができない。
【００５７】
そこで、本実施形態の複合機１００では復帰条件が整うと、複合機１００は省電力モードから通常モードに復帰して、複合機１００の各種機能が利用可能な状態に戻す。
【００５８】
本実施形態の複合機１００では、複合機１００に対して操作、入力がなされると、主制御部８ａは復帰条件が満たされたと判断する。主制御部８ａは複合機１００に対して、操作、入力があったことを、各操作検知部の出力に基づき認識する。
【００５９】
復帰条件が満たされたこと認識すると、主制御部８ａは電源部９に対して通常モードへの復帰を指示する。この指示を受け、電力制御部９０は各種電圧を２次電源部９２に生成させる。電源部９の電力制御部９０は複合機１００の全ての部分に電力が供給されるように、電力供給切替部９３を制御する。
【００６０】
これにより、供給停止部分に対する電力供給が再開される。これにより、電力供給が再開された部分で起動、ウォームアップ処理がなされ、複合機１００は通常モードに復帰する。
【００６１】
（給紙部４での除湿）
次に、図５を用いて給紙部４での用紙の除湿を説明する。図５は用紙の除湿用のヒーターの配置の一例を示す説明図である。
【００６２】
湿度の高い環境に用紙が置かれると、用紙は吸湿する。用紙が吸収した水分量が多くなると皺が生ずることがある。又、吸湿により、波打つような状態となり、用紙搬送時に皺や折れが生じやすくなることがある。又、定着時の水分蒸発により、皺が生じてしまう場合もある。又、用紙と用紙（特にカラー印刷のため表面がコートされたコート紙）の間に水分が入り込むことにより、用紙が吸着し合い、用紙の重送が生ずることもある。
【００６３】
用紙の品質を維持するため、本実施形態の複合機１００では、用紙の除湿、感想を行うヒーターが設けられる。これにより、用紙の皺発生や、重送発生を防ぐことができる。
【００６４】
具体的に、本実施形態の複合機１００では、１つの給紙部４に対し、２つのヒーターが設けられる。図５に示すように、給紙部４に対して、第１ヒーターＨ１と、第１ヒーターＨ１とは別に第２ヒーターＨ２が設けられる。尚、図５はカセット４１を上方向から見た模式図である。
【００６５】
図５に示すように、第２ヒーターＨ２は上下方向からみて、第１ヒーターＨ１を囲うように設けられ、第２ヒーターＨ２の形状はロ字状である。そして、第１ヒーターＨ１は第２ヒーターＨ２の内側であり、第２ヒーターＨ２よりも用紙の中心に近い位置に設けられる。
【００６６】
そして、第１ヒーターＨ１と第２ヒーターＨ２は電熱線を含む面状の発熱体であり、通電により発熱する。そして、第１ヒーターＨ１には通電を制御するために、第１スイッチ部Ｓ１が設けられる。尚、図５の例では、第１スイッチ部Ｓ１として、トランジスタを例に挙げている。
【００６７】
又、第２ヒーターＨ２には通電を制御するために、第２スイッチ部Ｓ２が設けられる。第２スイッチ部Ｓ２はエンジン制御部８ｂから一度指示を受けるとＯＮ状態、又は、ＯＦＦ状態を保つスイッチである。例えば、第２スイッチ部Ｓ２は論理回路やトランジスタ等により構成できる。
【００６８】
（各ヒーター部への電力供給系統）
次に、図６を用いて、第１ヒーターＨ１と第２ヒーターＨ２への電力供給系統の一例を説明する。図６は各ヒーターへの電力供給系統の一例を示すブロック図である。
【００６９】
商用電源からの電力が電源部９に入力され、上述のようにスイッチング電源部９１は所定の電圧値（例えば、モーター駆動用のＤＣ２４Ｖ）の電圧を生成する。そして、スイッチング電源部９１は第１スイッチ部Ｓ１を介して第１ヒーターＨ１に電力を供給する。
【００７０】
一方、電源部９には半波整流部９４が設けられる。例えば、半波整流部９４は複数のダイオードを組み合わせた回路（一般的な半波整流回路）である。そして、半波整流部９４は商用電源から供給される交流を半波整流し、出力する。半波整流部９４は第２スイッチ部Ｓ２を介して第２ヒーターＨ２に電力を供給する。
【００７１】
又、給紙部４に設けられた温湿度センサー４４の出力はエンジン制御部８ｂに入力される。例えば、温湿度センサー４４は温度検知用の検知体（例えば、サーミスター）と湿度検知用の検知体（例えば、高分子湿度センサー）を含む。
【００７２】
エンジン制御部８ｂは温湿度センサー４４のうち、温度検知用の検知体（温度センサー）の出力を受け、出力値に基づき温湿度センサー４４設置箇所（給紙部４内）の温度を認識する。エンジン制御部８ｂはエンジン記憶部８４が記憶する温度検知用の検知体の出力に対する温度を示すデータを参照して温度を認識する。
【００７３】
又、エンジン制御部８ｂは温湿度センサー４４のうちの湿度検知用の検知体（湿度センサー）の出力を受け、出力値と認識した温度に基づき温湿度センサー４４設置箇所（給紙部４内）の相対湿度を認識する。エンジン記憶部８４は湿度検知用の検知体の出力に対する各温度での相対湿度を示すデータ記憶する。エンジン制御部８ｂはエンジン記憶部８４に記憶されたデータを参照して相対湿度を認識する。尚、本説明では、湿度として相対湿度を求める例を説明するが、絶対湿度検知用のセンサーを設置し、絶対湿度を求めてもよい。
【００７４】
そして、例えば、エンジン制御部８ｂが第１ヒーターＨ１と第２ヒーターＨ２への通電を制御する。言い換えると、エンジン制御部８ｂは第１スイッチ部Ｓ１と第２スイッチ部Ｓ２のＯＮ／ＯＦＦを制御する。尚、以下の説明では、エンジン制御部８ｂが湿度を認識し、第１ヒーターＨ１と第２ヒーターＨ２の通電を制御する例を説明する。しかし、エンジン制御部８ｂ以外の部分が湿度を求め、第１ヒーターＨ１と第２ヒーターＨ２の通電を制御してもよい。例えば、主制御部８ａが温湿度センサー４４の出力に基づき湿度を求め、第１ヒーターＨ１と第２ヒーターＨ２の通電を制御してもよい。あるいは、給紙部４に給紙制御用の基板（給紙制御部）を設け、設けた給紙制御部が温湿度センサー４４の出力に基づき湿度を求め、第１ヒーターＨ１と第２ヒーターＨ２の通電を制御してもよい。
【００７５】
そして、エンジン制御部８ｂは第１スイッチ部Ｓ１のＯＮ／ＯＦＦを指示する信号を出力する。例えば、エンジン制御部８ｂは第１ヒーターＨ１に電力を投入するとき（発熱させるとき）、第１スイッチ部Ｓ１をＯＮ状態とする旨の信号（例えば、Ｈｉｇｈレベルの信号）を出力し、第１スイッチ部Ｓ１をＯＦＦ状態とする旨の信号（例えば、Ｌｏｗレベルの信号）を出力とする。
【００７６】
又、エンジン制御部８ｂは第２スイッチ部Ｓ２のＯＮ／ＯＦＦを指示する信号を出力する。例えば、エンジン制御部８ｂは第２ヒーターＨ２に電力を投入するとき（発熱させるとき）、第２スイッチ部Ｓ２をＯＮ状態にすべき旨の信号を出力し、第２ヒーターＨ２への電力供給を停止するとき、第２スイッチ部Ｓ２をＯＦＦ状態にすべき旨の信号を出力する。
【００７７】
（通常モードでの用紙の除湿）
次に、図６、図７を用いて、通常モードでの用紙の除湿を説明する。図７は通常モードでの各種信号の波形の一例を示すタイミングチャートである。
【００７８】
まず、図７の最上段のチャートは商用電源の電圧波形（正弦波、例えば、５０Ｈｚや６０Ｈｚ）を示す。又、２段目のチャートは半波整流部９４の出力波形の一例である。
【００７９】
又、図７の３段目のチャートは主電源ＯＮにより通常モードで起動するときのスイッチング電源部９１の出力波形である。スイッチング電源部９１はメインスイッチ１０２による主電源投入により、一定の大きさの電圧を出力し続ける。
【００８０】
又、図７の４段目のチャートは商用電源の電圧波形に基づくゼロクロス信号である。図６に示すように、電源部９にはゼロクロス信号生成部９５が設けられる。ゼロクロス信号生成部９５は商用電源の電圧値が０±αＶ（例えば、αは数Ｖでもよいし、０．５〜０．６Ｖのように１Ｖ以下でもよい。）にあるとき、Ｈｉｇｈである信号を生成する。
【００８１】
図７の５段目のチャートは第１スイッチ部Ｓ１のＯＮ／ＯＦＦの状態を示す。図７の５段目のチャートのＨｉｇｈレベルは第１スイッチ部Ｓ１がスイッチング電源部９１からの電力を第１ヒーターＨ１に電力を供給している状態を示し、Ｌｏｗレベルは第１スイッチ部Ｓ１が第１ヒーターＨ１への電力供給を停止している状態を示す。
【００８２】
又、図７の最下段のチャートは第２スイッチ部Ｓ２のＯＮ／ＯＦＦの状態を示す（第２ヒーターＨ２に通電可能か否か）。図７の最下段のチャートのＨｉｇｈレベルは第２スイッチ部Ｓ２が第２ヒーターＨ２に電力を供給可能である状態を示し、Ｌｏｗレベルは第２スイッチ部Ｓ２が第２ヒーターＨ２への電力供給しない（できない）状態を示す。尚、図７の最下段のチャートで示すように、第２ヒーターＨ２は通常モードのとき通電されない（第２ヒーターＨ２は用いられない。）
【００８３】
そして、通常モードのとき、エンジン制御部８ｂは第１スイッチ部Ｓ１を制御して、認識した湿度が高いほど第１ヒーターＨ１の出力が大きくなるように第１ヒーターＨ１に電力を供給する。一方、エンジン制御部８ｂは第２スイッチ部Ｓ２を制御して、通常モードでは第２ヒーターＨ２への電力の供給を停止する。
【００８４】
ここで、エンジン制御部８ｂは第１スイッチ部Ｓ１を制御して、認識部が認識した湿度が高いほど、単位時間内の第１ヒーターＨ１への電力供給時間を長くさせる。図７の例は、ゼロクロス信号のエッジを基準にエンジン制御部８ｂが第１ヒーターＨ１への通電のＯＮ／ＯＦＦを切り替える例を示している。
【００８５】
単位時間は任意に定めることができる時間である。例えば、１秒を単位時間とした場合、商用電源の周波数が５０Ｈｚであれば、ゼロクロス信号の１００周期分が単位時間となる。そして、認識部が認識した湿度が高いほど、１００周期のうち、単位時間内で第１ヒーターＨ１への電力を継続する時間を長くする。例えば、エンジン記憶部８４は認識された湿度に対し、単位時間あたりに第１ヒーターＨ１に電力を供給する時間が定められたデータを記憶する。エンジン制御部８ｂはエンジン記憶部８４に記憶されたデータを参照して、単位時間内での第１ヒーターＨ１への通電時間時間を定め、通常モードでの第１ヒーターＨ１への電力供給と停止を制御する。
【００８６】
例えば、１秒を単位時間とした場合、ゼロクロス信号のエッジごとに第１ヒーターＨ１への通電のＯＮ／ＯＦＦを切り替えるのであれば、エンジン制御部８ｂは１％刻み（６０Ｈｚの場合、約０．８％刻み）で第１ヒーターＨ１への通電のデューティ比を制御することになる。そして、エンジン制御部８ｂは認識した湿度が高いほどデューティ比を大きくし、湿度が高いほど第１ヒーターＨ１の出力を高くする。
【００８７】
尚、エンジン制御部８ｂが認識した湿度が予め定められた基準湿度を下回っていれば（用紙が十分乾燥していると認められれば）、エンジン制御部８ｂは単位時間内で全く第１ヒーターＨ１への電力供給を行わないようにしてもよい。
【００８８】
このように、エンジン制御部８ｂなどにも電力が供給される通常モードでは、用紙の除湿を行うヒーター（第１ヒーターＨ１）への細かな通電制御が行われる。
【００８９】
（省電力モード及び主電源遮断状態での用紙の除湿）
次に、図８を用いて、省電力モード及び主電源遮断状態での用紙の除湿を説明する。図８は省電力モード及び主電源遮断状態での各種信号の波形の一例を示すタイミングチャートである。
【００９０】
まず、図８の最上段のチャートは商用電源の電圧波形（正弦波、例えば、５０Ｈｚや６０Ｈｚ）を示す。又、２段目のチャートは半波整流部９４の出力波形の一例である。
【００９１】
又、図８の３段目のチャートは主電源遮断状態でのスイッチング電源部９１の出力波形である。尚、省電力モードでは、操作検知部や主制御部８ａ等への電力供給のため、スイッチング電源部９１は駆動している（省電力モードでは、スイッチング電源部９１から出力される電力が通常モードよりも減る）。又、主電源遮断状態でもスイッチング電源部９１を駆動させたままとしてもよい。
【００９２】
図８の４段目のチャートは第１ヒーターＨ１への通電（第１スイッチ部Ｓ１のＯＮ／ＯＦＦ）を示す（図７と同様）。そして、図８の４段目のチャートに示すように、省電力モードや主電源遮断状態では第１ヒーターＨ１への通電は行われない。言い換えると、省電力モードや主電源遮断状態では第１ヒーターＨ１は用いられない。一方、図８の最下段のチャートは第２スイッチ部Ｓ２のＯＮ／ＯＦＦの状態を示す（第２ヒーターＨ２に通電可能か否か、図７と同様）。
【００９３】
まず、例えば、省電力モードや主電源遮断状態となるとき、エンジン制御部８ｂは湿度を認識し、認識した湿度が閾値を超えるか否かを確認し、第２ヒーターＨ２に電力を供給すべきか否かを確認する。
【００９４】
認識された湿度が予め定められた閾値を超えていれば、エンジン制御部８ｂは第２ヒーターＨ２による除湿が必要と判断し、第２スイッチ部Ｓ２を制御して、第２ヒーターＨ２に電力を供給する状態とする。
【００９５】
一方、一方、認識された湿度が閾値以下であり、エンジン制御部８ｂが第２ヒーターＨ２による除湿が不要と判断したとき、エンジン制御部８ｂは第２スイッチ部Ｓ２を制御して、第２ヒーターＨ２への電力供給を停止させる状態とする。
【００９６】
そして、省電力モードや主電源遮断状態となってから予め定められた周期Ｔ１が経過したときや、先の一時的にエンジン制御部８ｂや温湿度センサー４４への電力供給によりエンジン制御部８ｂが湿度を認識し、第２ヒーターＨ２への通電の必要性を判断してから予め定められた周期Ｔ１が経過したとき、電源部９（電力制御部９０）は電力供給切替部９３を制御して、エンジン制御部８ｂが湿度を認識し、第２ヒーターＨ２による乾燥の必要性を判断し、第２スイッチ部Ｓ２の状態を切り替えるのに必要な間、温湿度センサー４４とエンジン制御部８ｂに電力を供給した後、温湿度センサー４４とエンジン制御部８ｂに対する電力供給を停止する。
【００９７】
例えば、図８の３段目のチャートにあるように、主電源遮断状態でスイッチング電源部９１の動作を停止させている場合、エンジン制御部８ｂや温湿度センサー４４に電力を供給して、周期的な湿度認識を行うため、スイッチング電源部９１を一時的に駆動させてもよい。
【００９８】
このように、省電力モードや主電源遮断状態のとき、周期的、一時的にエンジン制御部８ｂや温湿度センサー４４に電力が供給され、周期的、一時的にエンジン制御部８ｂや温湿度センサー４４が起動、動作する。
【００９９】
そして、省電力モードや主電源遮断状態のとき、一時的に復活したエンジン制御部８ｂにより認識された湿度が閾値を超え、エンジン制御部８ｂが第２ヒーターＨ２による除湿が必要と判断したとき、エンジン制御部８ｂは第２スイッチ部Ｓ２を制御し、半波整流部９４からの電力が第２ヒーターＨ２に入力される状態とする。このとき、第２ヒーターＨ２には半波整流された電力が供給され、第２スイッチ部Ｓ２は第２ヒーターＨ２の最大出力が第１ヒーターＨ１の最大出力よりも小さくなるように第２ヒーターＨ２に電力を供給する。
【０１００】
一方、認識された湿度が閾値以下であり、エンジン制御部８ｂが第２ヒーターＨ２による除湿が不要と判断したとき、エンジン制御部８ｂは第２スイッチ部Ｓ２を制御して、第２ヒーターＨ２への電力供給を停止させる状態とする。
【０１０１】
このように、省電力モードや主電源遮断状態のとき、予め定められた周期Ｔ１で、一時的にエンジン制御部８ｂや温湿度センサー４４に電力が供給され、エンジン制御部８ｂは湿度を認識し、第２ヒーターＨ２への通電が必要か否かを判断され、第２スイッチ部Ｓ２の状態が切り替わる。
【０１０２】
ここで、「予め定められた周期Ｔ１」は適宜定めることができる時間である。第２ヒーターＨ２の出力等を勘案して、「予め定められた周期Ｔ１」を定めることができる。例えば、「予め定められた周期Ｔ１」は１時間程度とすることができる。尚、「予め定められた周期Ｔ１」は数十分でもよいし、数時間でもよい。又、操作パネル３で設定可能としてもよい。
【０１０３】
ここで、省電力モードや主電源遮断状態となってから、又は、先に、一時的にエンジン制御部８ｂや温湿度センサー４４に電力を供給し、エンジン制御部８ｂが第２ヒーターＨ２への通電が必要か否かを判断してから予め定められた周期Ｔ１が経過したか否かを検知するタイマー部９６を設けてもよい（図３、図６参照、タイマー部９６は省電力モードや主電源遮断状態となっても電力が供給され、駆動）。尚、省電力モードや主電源遮断状態となっても電力制御部９０を動作させ、電力制御部９０を予め定められた周期Ｔ１が経過するタイマー部９６として用いてもよい。
【０１０４】
そして、タイマー部９６は予め定められたこと周期Ｔ１が経過したことを示す信号を電力制御部９０や電力供給切替部９３に通知し、一時的にエンジン制御部８ｂや温湿度センサー４４に電力を供給させる。
【０１０５】
（省電力モード及び主電源遮断状態での用紙の除湿制御の流れ）
次に、図９を用いて、省電力モード及び主電源遮断状態での用紙の除湿制御の流れの一例を説明する。図９は省電力モード及び主電源遮断状態での用紙の除湿制御の流れの一例を示すフローチャートである。
【０１０６】
まず、図９のスタートは省電力モード移行条件が満たされたとき、又は、複合機１００の主電源を遮断するため（主電源を落とすため）メインスイッチ１０２が押された時点である。
【０１０７】
省電力モード又は主電源遮断状態に移行するに際し、エンジン制御部８ｂは温湿度センサー４４の出力に基づき、湿度を認識する（ステップ♯１）。そして、エンジン制御部８ｂは認識した湿度が予め閾値を超えるか否かにより、第２ヒーターＨ２による用紙の除湿が必要か否かを判断する（ステップ♯２）。
【０１０８】
もし、用紙の除湿が必要であれば（ステップ♯２のＹｅｓ）、エンジン制御部８ｂは第２スイッチ部Ｓ２をＯＮ状態とし、第２ヒーターＨ２に電力を供給する状態で維持させる（ステップ♯３）。一方、用紙の除湿が必要無ければ（ステップ２♯のＮｏ）、エンジン制御部８ｂは第２スイッチ部Ｓ２をＯＦＦ状態とし、第２ヒーターＨ２への電力供給を停止した状態で維持させる（ステップ♯４）。
【０１０９】
そして、複合機１００は省電力モード若しくは主電源遮断状態に移行、又は、維持する（ループしてきた場合）（ステップ♯５）。省電力モードへの移行のとき、電源部９は予め定められた供給停止部分への電力供給を停止し、予め定められた供給停止部分以外の部分（主制御部８ａや操作検知部や第２ヒーターＨ２等）への電力供給を続ける。一方、主電源遮断の場合、電源部９は第２ヒーターＨ２に電力を供給する場合があるが、供給停止部分や主制御部８ａや操作検知部への電力供給も停止する。
【０１１０】
そして、復帰条件が満たされた、あるいは、主電源投入のためメインスイッチ１０２が操作されたことにより、通常モードで起動すべきとき（通常モードに移行すべきとき、ステップ♯６のＹｅｓ）、本フローは終了する（エンド）。そして、電源部９は電力供給切替部９３を制御して、複合機１００の全ての部分に電力を供給し、起動やウォームアップ処理を開始させ、複合機１００を通常モードで起動させる。
【０１１１】
一方、通常モードで起動する必要がないとき（ステップ♯６のＮｏ）、タイマー部９６は省電力モード若しくは主電源遮断状態に移行に移行してから、又は、先のエンジン制御部８ｂと温湿度センサー４４への一時的な電力供給と第２ヒーターＨ２による除湿の必要性を確認した時点から予め定められた周期Ｔ１が経過したか否かを確認する（ステップ♯７）。
【０１１２】
周期Ｔ１が経過していなければ（ステップ♯７のＮｏ）、フローはステップ♯５に戻る。一方、周期Ｔ１が経過していれば（ステップ♯７のＹｅｓ）、電源部９はエンジン制御部８ｂと温湿度センサー４４に対して一時的に電力供給を再開する（ステップ♯８）。
【０１１３】
そして、エンジン制御部８ｂは温湿度センサー４４の出力に基づき、湿度を認識する（ステップ♯９）。そして、エンジン制御部８ｂは認識した湿度が予め閾値を超えるか否かにより、第２ヒーターＨ２による用紙の除湿が必要か否かを判断する（ステップ♯１０）。
【０１１４】
もし、用紙の除湿が必要であれば（ステップ♯１０のＹｅｓ）、エンジン制御部８ｂは第２スイッチ部Ｓ２をＯＮ状態とし、第２ヒーターＨ２に電力を供給する状態で維持させる（ステップ♯１１）。一方、用紙の除湿が必要無ければ（ステップ♯１０のＮｏ）、エンジン制御部８ｂは第２スイッチ部Ｓ２をＯＦＦ状態とし、第２ヒーターＨ２への電力供給を停止した状態で維持させる（ステップ♯１２）。
【０１１５】
ステップ♯１１とステップ♯１２の後、電源部９はエンジン制御部８ｂと温湿度センサー４４への電力供給を停止する（ステップ♯１３）。又、タイマー部９６は時間のカウントを開始する（ステップ♯１４）。そして、フローはステップ♯５に戻る。
【０１１６】
このようにして、本実施形態に係る画像形成装置（複合機１００）は、メインスイッチ１０２と、給紙部４と、認識部（エンジン制御部８ｂ）と、第１スイッチ部Ｓ１と、第２スイッチ部Ｓ２と、電源部９と、を含む。そして、メインスイッチ１０２は主電源の投入と遮断を操作するためのものである。給紙部４は用紙を収容、供給し、用紙を収容する空間内の湿度を検知するための湿度検知部（温湿度センサー４４）と、用紙の除湿を行うための第１ヒーターＨ１と、第１ヒーターＨ１とは別に用紙の除湿を行うための第２ヒーターＨ２と、を含む。認識部は湿度検知部の出力に基づき、給紙部４内の湿度を認識する。第１スイッチ部Ｓ１は第１ヒーターＨ１への通電を制御する。第２スイッチ部Ｓ２は第２ヒーターＨ２への通電を制御する。電源部９は第１ヒーターＨ１及び第２ヒーターＨ２に電力を供給し、画像形成装置（複合機１００）の主電源が投入されている状態で、電源部９は画像形成装置（複合機１００）内の予め定められた供給停止部分に対して電力を供給する通常モードと、予め定められた省電力モード移行条件が満たされると供給停止部分に対して電力を供給しない省電力モードを有し、省電力モードで通常モードへの復帰条件が満たされると通常モードに復帰して供給停止部分に対する電力供給を再開する。そして、通常モードのとき、第１スイッチ部Ｓ１は認識部が認識した湿度が高いほど、第１ヒーターＨ１の出力が大きくなるように第１ヒーターＨ１に電力を供給し、第２スイッチ部Ｓ２は第２ヒーターＨ２への電力の供給を停止する。又、省電力モードのとき、第１スイッチ部Ｓ１は第１ヒーターＨ１への電力供給を停止し、電源部９は予め定められた周期Ｔ１で認識部が湿度を認識するのに必要な間、湿度検知部と認識部に対して電力を供給した後、湿度検知部と認識部に対する電力供給を停止し、第２スイッチ部Ｓ２は認識部が認識した湿度が予め定められた閾値を超えていれば第２ヒーターＨ２に電力を供給する状態となり、閾値以下であれば第２ヒーターＨ２への電力供給を停止した状態となる。
【０１１７】
これにより、画像形成装置（複合機１００）で消費される電力を落としている状態（省電力モードである状態）のとき、定期的に、湿度の状態に応じて、第２ヒーターＨ２への電力の供給と停止が切り替えられる。従って、従来のように、省電力モードの間、用紙の除湿を行うヒーターがつけっぱなし（通電しっぱなし）にならず、無駄な電力消費を無くすことができる。又、省電力モードの間、ヒーターへの電力供給が停止された状態のまま維持されず、給紙部４内の用紙の品質を維持することができる。
【０１１８】
又、画像形成装置（複合機１００）で消費される電力を落としている状態（省電力モードである状態）のとき、湿度を検知するための部分が一時的に起動し、第２ヒーターＨ２への電力供給の必要性の判断のために湿度検知が行われ、第２ヒーターＨ２への通電の必要性が判断されると、湿度検知部（温湿度センサー４４）と認識部（エンジン制御部８ｂ）に対する電力供給を停止される。従って、消費電力を落としている状態で、湿度検知部と認識部に対する電力供給は必要最低限とされ、無駄に電力を消費しない。
【０１１９】
又、メインスイッチ１０２に対する操作により画像形成装置（複合機１００）の主電源が遮断されている状態のとき、第１スイッチ部Ｓ１は第１ヒーターＨ１への電力供給を停止し、電源部９は予め定められた周期Ｔ１で、認識部（エンジン制御部８ｂ）が湿度を認識するのに必要な間、湿度検知部（温湿度センサー４４）と認識部に対して電力を供給した後、湿度検知部と認識部に対する電力供給を停止し、第２スイッチ部Ｓ２は認識部が認識した湿度が予め定められた閾値を超えていれば第２ヒーターＨ２に電力を供給する状態となり、認識部が認識した湿度が閾値以下であれば第２ヒーターＨ２への電力供給を停止した状態となる。
【０１２０】
これにより、画像形成装置（複合機１００）で消費される電力を落としている状態（主電源ＯＦＦの状態）のとき、定期的に、湿度の状態に応じて、第２ヒーターＨ２への電力の供給と停止が切り替えられる。従って、従来のように、主電源が落とされている間、用紙の除湿を行うヒーターがつけっぱなし（通電しっぱなし）にならず、無駄な電力消費を無くすことができる。又、主電源が落とされている間、ヒーターへの電力供給が停止された状態のまま維持されず、給紙部４内の用紙の品質を維持することができる。
【０１２１】
又、電源部９は商用電源に接続され、商用電源に基づき一定の大きさの電圧を生成し、第１ヒーターＨ１に電力を供給するスイッチング電源部９１と、商用電源から入力される電力の半波整流を行い、第２ヒーターＨ２に電力を供給する半波整流部９４と、を含み、第１スイッチ部Ｓ１は認識部（エンジン制御部８ｂ）が認識した湿度が高いほど、単位時間内の第１ヒーターＨ１への電力供給時間を長くする。これにより、画像形成装置（複合機１００）の主電源が投入され、通常モードであるとき、検知された湿度に応じて第１ヒーターＨ１の細かな出力制御が行われ、給紙部４内の湿度を適切な状態に保つことができる。一方、半波整流部９４は第２ヒーターＨ２に電力を供給するので、画像形成装置での消費電力を落としている状態では、第２ヒーターＨ２に対しては、単位時間内の第１ヒーターＨ１への電力供給を調整するような細かな出力制御を行わない。そして、画像形成装置での消費電力を落としている状態では、予め定められた周期Ｔ１で第２スイッチ部Ｓ２は電力を供給、停止を切り替えるのみである。従って、画像形成装置での消費電力を落としている状態では、第２スイッチ部Ｓ２を制御する認識部を動作させた状態で保たずに済み、高い省電力効果を得ることができる。
【０１２２】
又、第２ヒーターＨ２は上下方向からみて第１ヒーターＨ１を囲うように設けられ、第１ヒーターＨ１は第２ヒーターＨ２よりも用紙の中心に近い位置に設けられる。これにより、通常モードで除湿を行う第１ヒーターＨ１は中心位置に設けられ、用紙を効率よく除湿することができる。又、第２ヒーターＨ２は第１ヒーターＨ１の外側に設けられるので、用紙が高温になりづらい。そのため、省電力モードや主電源停止状態が長引き、第２ヒーターＨ２への通電が長くなっても、用紙が高温にならないので、用紙の品質は保たれる。
【０１２３】
又、第２スイッチ部Ｓ２は第２ヒーターＨ２の最大出力が第１ヒーターＨ１の最大出力よりも小さくなるように第２ヒーターＨ２に電力を供給する。これにより、第２ヒーターＨ２の出力が抑えられ、画像形成装置（複合機１００）での消費電力を落としている状態での第２ヒーターＨ２での    
【０１２４】
次に、他の実施形態を説明する。上述の実施形態ではエンジン制御部８ｂが湿度を認識し第１ヒーターＨ１と第２ヒーターＨ２への通電を制御する例を説明したが、エンジン制御部８ｂ以外の部分で湿度認識と各ヒーターへの通電制御を行うようにしてもよい。この場合、省電力モードや主電源を遮断しているとき、湿度認識と各ヒーターへの通電制御を行う部分に周期的、一時的に電力が供給される。
【０１２５】
以上、本発明の実施形態につき説明したが、本発明の範囲はこれに限定されるものではなく、発明の主旨を逸脱しない範囲で種々の変更を加えて実施することができる。
【産業上の利用可能性】
【０１２６】
本発明は給紙部にヒーターを備える画像形成装置に利用可能である。
【符号の説明】
【０１２７】
１００  複合機（画像形成装置）          １０２  メインスイッチ
４      給紙部                          ４４    温湿度センサー（湿度検知部）
８ｂ    エンジン制御部（認識部）        ９      電源部
９１    スイッチング電源部              ９４    半波整流部
Ｈ１    第１ヒーター                    Ｈ２    第２ヒーター
Ｓ１    第１スイッチ部                  Ｓ２    第２スイッチ部
Ｔ１    周期
【図１】
2014071227.tif 000003
【図２】
2014071227.tif 000004
【図３】
2014071227.tif 000005
【図４】
2014071227.tif 000006
【図５】
2014071227.tif 000007
【図６】
2014071227.tif 000008
【図７】
2014071227.tif 000009
【図８】
2014071227.tif 000010
【図９】
2014071227.tif 000011